(57)【要約】      （修正有）【課題】戸車の着脱が簡単な建具を提供する。【解決手段】下框に戸車７が取外自在に装着される建具であって、内枠７２に車輪７１が設けられてなる戸車７と、戸車７が収納される外枠部６とを備え、外枠部６は横板部６２と両側板部６４とを有し、横板部６２と両側板部６４とで下側に開口した戸車収納部６１を形成し、横板部６２は係合孔６２ａと舌片６２ｂとを有し、両側板部６４は内側の戸車納まり方向の一部分に形成された係止突条６９を有し、内枠７２は上面から突出する係合爪７３と側面に設けられた被係止部７４とを有し、外枠部６に対して戸車７を納まり方向へ移動させることにより、係合爪７３が舌片６２ｂに下方から当接しながら通過した後、係合孔６２ａから上方に突出して係合することで戸車７の戸車納まり方向と反対方向への移動が規制され、被係止部７４が係止突条６９の上面に戴置されることで戸車７の下方への移動が規制される。【選択図】図６
2015010407.tif 000002
【特許請求の範囲】
【請求項１】
下框に戸車が取外自在に装着される建具であって、
内枠に車輪が設けられてなる戸車と、戸車が収納される外枠部とを備え、
外枠部は、横板部と、両側板部と、を有し、横板部と両側板部とで下側に開口した戸車収納部を形成し、
横板部は、係合孔と、舌片と、を有し、
両側板部は、内側の戸車納まり方向の一部分に形成された係止突条を有し、
内枠は、上面から突出する係合爪と、側面に設けられた被係止部と、を有し、
外枠部に対して戸車を納まり方向へ移動させることにより、内枠の係合爪が、横板部の舌片に下方から当接しながら通過した後、係合孔から上方に突出して係合することで、戸車の戸車納まり方向と反対方向への移動が規制され、且つ、内枠の被係止部が両側板部の係止突条の上面に戴置されることで、戸車の下方への移動が規制されるように構成されている
ことを特徴とする建具。
【発明の詳細な説明】
【技術分野】
【０００１】
本発明は、障子に配置された戸車を簡単に取り外しできる建具に関する。
【背景技術】
【０００２】
引き違い窓や片引き窓等の建具の下框には、窓下枠のレール上を走行するための戸車が設置されており、戸車の位置調整機構により建具の位置調整が可能となっているが、戸車に位置調整機構等の複雑な機構を持たせるために、戸車が破損したりして、部品交換等のメンテナンスが必要となる。そのため、建具に対して、戸車を装着自在にして、戸車装置のメンテナンスができるようにしていた。
【先行技術文献】
【特許文献】
【０００３】
【特許文献１】実公平５−１９４８８号公報
【発明の概要】
【発明が解決しようとする課題】
【０００４】
しかしながら、戸車を建具に着脱自在にするためには、戸車自体の構造を大きく変更する必要があった。
【０００５】
本発明は、上記事情を鑑みたものであり、戸車の構成を変更することなく、従来使用していた戸車を使用しながら、戸車の着脱が簡単な建具を提供することを目的とする。
【課題を解決するための手段】
【０００６】
本発明の建具は、下框に戸車が取外自在に装着される建具であって、内枠に車輪が設けられてなる戸車と、戸車が収納される外枠部とを備え、外枠部は、横板部と、両側板部と、を有し、横板部と両側板部とで下側に開口した戸車収納部を形成し、横板部は、係合孔と、舌片と、を有し、両側板部は、内側の戸車納まり方向の一部分に形成された係止突条を有し、内枠は、上面から突出する係合爪と、側面に設けられた被係止部と、を有し、外枠部に対して戸車を納まり方向へ移動させることにより、内枠の係合爪が、横板部の舌片に下方から当接しながら通過した後、係合孔から上方に突出して係合することで、戸車の戸車納まり方向と反対方向への移動が規制され、且つ、内枠の被係止部が両側板部の係止突条の上面に戴置されることで、戸車の下方への移動が規制されるように構成されていることを特徴とする。
【発明の効果】
【０００７】
本発明によれば、従来用いていた戸車を利用しながら、障子から戸車だけを簡単に取り出すことができ、戸車のメンテナンスを容易にすることができる。
【図面の簡単な説明】
【０００８】
【図１】本発明の実施形態に係るサッシの縦断面図である。
【図２】本発明の実施形態に係るサッシの横断面図である。
【図３】本発明の実施形態に係る建具の戸車取付部分の分解斜視図である。
【図４】本発明の第１の実施形態に係る外枠部を構成するための戸車固定ピースの図であり、（ａ）は戸車固定ピースの側面図、（ｂ）は戸車固定ピースの正面図、（ｃ）は戸車固定ピースの底面図である。
【図５】本発明の第１の実施形態に係る戸車固定ピースの取付図であり、（ａ）は下框に戸車固定ピースを取り付けた状態の側面図、（ｂ）は同正面図である。
【図６】本発明の第１の実施形態に係る戸車固定ピースと戸車との分解斜視図である。
【図７】本発明の第１の実施形態に係る戸車固定ピースに戸車を取り付けた状態の正面図である。
【図８】本発明の第２の実施形態に係る外枠部を構成する下框の図であり、（ａ）は正面図、（ｂ）は底面図、（ｃ）は側面図である。
【図９】建具の外枠部から戸車を取り出す手順を説明した図である。
【発明を実施するための形態】
【０００９】
（窓の全体構成）
以下、本発明の実施の形態を図面に基づいて説明する。なお、上下は図１中の上下方向を、左右は図２中の左右方向を表す。ここでは、サッシの一例として、図１及び図２に示すように、枠体１に二枚の障子２ａ，２ｂを引違いに納めた引違い窓の例を挙げる。枠体１は、上下の横枠（上枠１１及び下枠１２）と、左右の縦枠１３とを四周枠組みしたもので、上枠１１の下面には内外障子用のレール１１ａ，１１ｂ、及び網戸用レール１１ｃが形成してあり、下枠１２の上面には内外障子用レール１２ａ，１２ｂ及び網戸用レール１２ｃが形成してある。
【００１０】
二枚の障子２ａ，２ｂは、何れも左右の縦框３と、上下の横框４（上框４１及び下框４２）と、パネル５とを備え、左右の縦框３の間に上下の横框４を取り付けて四周框組みして、パネル５を嵌め込んだものである。そして、下框４２、４２には、枠体１の下枠１２のレール１２ａ，１２ｂ上を走行する車輪を有する戸車７が設けられ、二枚の障子２ａ，２ｂが下枠上を左右方向スライド自在に納めてある。
【００１１】
外障子の召合框３１ａの室内側壁には、内外障子の召合框３１ａ，３１ｂの間をシールするシール部材３２が設けられており、内外召合框３１ａ、３１ｂの下面と下枠１２との間には、止水ピース（図示せず）が配置されて、室外より雨風が吹き込むのを防止している。
【００１２】
二枚の障子２ａ，２ｂの室外側には、網戸サッシ８が配置されており、網戸サッシ８の縦框８１の室内側壁面には、シール部材８２が全長に渡って設けられており、網戸サッシの縦框８１と外障子２ａの召合框３１ａとの間をシールしている。
【００１３】
（第1の実施形態）
本発明の第1の実施形態は、図３に示されるように、戸車７が収納される外枠部が、下框４２に戸車固定ピース６を取り付けることにより構成されている。
【００１４】
図４に示されるように、戸車固定ピース６は、横板部６２及び横板部６２の両端より下方に伸びる側板部６３、６４により構成され、下方に開口する溝形の戸車収納部６１が形成されている。戸車固定ピース６の横板部６２の上部には、複数の突条６５が設けられており、側板部６３、６４の下部は下方に向かって広がるように係止片６６、６７が形成されている。
【００１５】
戸車固定ピース６の横板部６２はＵ字状に切り欠かれ、切欠きによって係合孔６２ａと舌片６２ｂが形成されている。また、戸車固定ピース６の両側板部６３、６４の下方内側の戸車納まり方向の一部分には、戸車７を戸車固定ピース６内に収納したときに戸車７が載置される係止突条６８，６９が突設されている。
【００１６】
戸車固定ピース６は、押出形材から形成され、左右側板部６３、６４に設けられた係止突条６８，６９の戸車の反納まり方向部分を切除することによって製造することができる。
【００１７】
図５に示されるように、障子２の下框４２は、上横部４２ａ、中横部４２ｂ、及び左右側板部４２ｃ、４２ｃからなり、左右側板部４２ｃ、４２ｃの上端間を上横部４２ａにより連接し、左右側板部４２ｃ、４２ｃの高さ方向中央付近間を中横部４２ｂにより連接して構成されている。左右側板部４２ｃ、４２ｃの下方部分は中横部４２ｂより下方に延設されており、全体として、下方に開口する溝形に形成されている。
【００１８】
そして、下框４２の戸車固定ピース６を取り付ける部位の中横部４２ｂは切り除かれて戸車固定ピース取付孔４４が形成され、戸車固定ピース６が取り付けられるようになっている。左右側板部４２ｃ、４２ｃの下端部には、レール１２ａ，１２ｂと下框４２との間をシールするシール部材を取り付けるシール保持部４３が溝内に向かって開口している。
【００１９】
戸車固定ピース６を下框４２に取り付けるときには、戸車固定ピース６を下框４２の戸車固定ピース取付孔４４の下方位置より押し入れることにより、戸車固定ピース６の両側板部６３、６４の下方に広がった係止片６６、６７により両側板部６３、６４の下方がすぼめられてスムーズに挿入できる。そして、所定の位置まで挿入され、係止片６６、６７がシール保持部４３を超えたときに、戸車固定ピース６の両側板部６３、６４の弾性により係止片６６、６７が広がり、下框４２のシール保持部４３の上面４３ａに係止されて下框内に保持されることになり、戸車固定ピース６は下框４２内に安定して保持される。
【００２０】
図６、７に示されるように、戸車７は、従来周知の戸車であり、車輪７１と車輪７１を上下動自在に保持する内枠７２とから構成されている。内枠７２の上面には、戸車固定ピース６の横板部６２に設けた係合孔６２ａに係合する係合爪７３が突設され、また、内枠７２の下面両側部は戸車固定ピース６の係止突条６８，６９に載置される被係止部７４として構成されている。
【００２１】
そして、被係止部７４の戸車収まり方向の後端には、戸車７を戸車固定ピース６に収納した時に戸車固定ピース６の係止突条６８，６９の収まり方向後端面に当接して戸車７収まり方向への移動を規制する規制部７５が下方に向けて形成されている。
【００２２】
戸車７を外枠部に収納する際には、戸車７を戸車固定ピース６の係止突条６８，６９が設けていない側（図７の左側）の下方より戸車固定ピース６の戸車収納部６１に挿入し、十分に挿入した後に戸車を係止突条６８，６９が設けられている方向（図７の右方向）に押し込めばよく、それにより、戸車７の下面の被係止部７４は係止突条６８，６９の上部に載置される。戸車７が収納位置まで押し込まれることにより、戸車７の規制部７５が係止突条６８，６９の端部に当接すると共に、係合爪７３が戸車固定ピース６の舌片６２ｂに下方から当接しながら舌片の先端部を通過した後、係合孔６２ａから上方に突出して係合する。
【００２３】
戸車７の係合爪７３が戸車固定ピース６の横板部６２の係合孔６２ａに係合し、戸車７の規制部７５が係止突条６８，６９の端部に当接することにより、戸車７の左右方向への移動が規制され、戸車７の被係止部７４が戸車固定ピース６の係止突条６８，６９の上面に載置されることで、戸車７の下方向への移動が規制され、戸車７を外枠部に確実に収納することができる。
【００２４】
第１の実施形態のように、下框４２に戸車固定ピース６を取り付けて外枠部を構成することにより、樹脂障子に対してアルミ障子の戸車を使用することができ、部品の共通化による効率化をはかることができる。
【００２５】
（第２の実施形態）
本発明の第２の実施形態は、戸車７を取り付ける外枠部が、障子の下框４５に直接構成されている。すなわち、第１の実施形態において、戸車７を収納、保持するために戸車固定ピース６に設けられていた係合孔、舌片及び係止突条を、障子の下框４５自体に形成することにより、外枠部が構成されている。
【００２６】
図８に示されるように、本発明の外枠部として構成される障子２の下框４５は、上横部４５ａ、中横部４５ｂ、下横部４５ｃ及び左右側板部４５ｄ、４５ｄとからなり、左右側板部４５ｄ、４５ｄの上部間を上横部４５ａにより連接し、左右側板部４５ｄ、４５ｄの高さ方向中央付近間を中横部４５ｂにより連接し、左右側板部４５ｄ、４５ｄの下部間を下横部４５ｃにより連接して形成されている。
【００２７】
そして、左右側板部４５ｄ、４５ｄの上方部分は上横部４５ａより上方に延設されてパネル保持溝を形成し、左右側板部４５ｄ、４５ｄの下方部分は下横部４５ｃより下方に延設されている。
【００２８】
下框４５の下横部４５ｃの戸車７が装着される部位は切り除かれて、戸車収納部４５ｅが形成されており、すなわち、下框４５の上横部４５ａ及び／又は中横部４５ｂを横板部として、該横板部と左右側板部４５ｄ、４５ｄとで、戸車収納部４５ｅを形成している。戸車収納部４５ｅを形成するために切り除かれた下横部４５ｃの戸車納まり方向（図８の右方向）の一部分には、戸車７を戸車収納部４５ｅ内に収納したときに戸車７が載置される係止突起４５ｈ、４５ｈが突設されている。そして、下框４５の中横部４５ｂはＵ字状に切り欠かれており、切り欠きによって係合孔４５ｆと舌片４５ｇが形成されている。
【００２９】
第２の実施形態では、戸車７を収納する戸車収納部４５ｅを障子の下框４５に直接形成して外枠部を構成したので、戸車７を取り付けるための戸車固定ピース等を別途設けることなく、下框４５の外枠部に戸車７を取り付けることができる。
なお、戸車７の取付方法については、第１の実施形態と同様である。
【００３０】
（戸車の取り外し方）
図９を用いて障子の外枠部から戸車７を取り外す手順を説明する。ここでは、下框４２に戸車固定ピース６を取り付けることにより外枠部を構成した第１の実施形態を用いて説明する。
【００３１】
戸車固定ピース６内に戸車７が収納されている状態から、マイナスドライバー等により下方から矢印Ａで示すように戸車固定ピース６の舌片６２ｂを持ち上げながら、戸車７を矢印Ｂに示すように戸当たり側に押し出す（図９（ａ））。
【００３２】
マイナスドライバー等により戸車固定ピース６の舌片６２ｂは上方に持ち上げられているので、戸車７を押し出す際に戸車７の係合爪７３は戸車固定ピース６の舌片６２ｂに係合することなく、戸車７は戸車固定ピース６の係止突条６８，６９が切除されている位置まで移動することができる。（図９（ｂ））
【００３３】
戸車７を戸車固定ピース６の係止突条６８，６９が切除されている位置まで移動させたら、戸車７の戸当たり側を中心に矢印Ｃ方向に回動させることにより（図９（ｃ））、戸車７を下方（矢印Ｄ方向）に取り出すことができる。（図９（ｄ））。
【００３４】
本発明は引違い窓以外の種々の窓、例えば内障子のみ備える片引き窓の建具に適用できる。また、戸車固定ピース６は、下框の中横部材を切り欠いて形成した戸車固定ピース取付孔に取り付けているが、戸車固定ピース６は下框に対してどのように取り付けてもよい。
【００３５】
外枠部を構成する戸車固定ピースや下框は、押し出し形材で形成され、その一部を切り欠くことによって形成されるので、複雑な加工を必要とすること無く、障子の下框に戸車７を取り付けるための構成が形成できる。
【符号の説明】
【００３６】
１  枠体
１１  上枠
１２  下枠
１２ａ，１２ｂ  内外障子用レール
１２ｃ  網戸用レール
２ａ，２ｂ  障子
３  縦框
４  横框
４１  上框
４２  下框
４２ａ  上横部
４２ｂ  中横部
４２ｃ  側板部
４３  シール保持部
４４  戸車固定ピース取付孔
４５  下框
４５ａ  上横部
４５ｂ  中横部
４５ｃ  下横部
４５ｄ  側板部
４５ｅ  戸車収納部
４５ｆ  係合孔
４５ｇ  舌片
４５ｈ  係止突起
５  パネル
６  戸車固定ピース
６１  戸車収納部
６２  横板部
６２ａ  係合孔
６２ｂ  舌片
６３、６４  側板部
６５  突条
６６，６７  係止片
６８，６９  係止突条
７  戸車
７１  車輪
７２  内枠
７３  係合爪
７４  被係止部
７５  規制部
【図１】
2015010407.tif 000003
【図２】
2015010407.tif 000004
【図３】
2015010407.tif 000005
【図４】
2015010407.tif 000006
【図５】
2015010407.tif 000007
【図６】
2015010407.tif 000008
【図７】
2015010407.tif 000009
【図８】
2015010407.tif 000010
【図９】
2015010407.tif 000011